(57)【要約】      （修正有）【課題】一人暮らしの要介護人の自宅の玄関扉の錠前が壊れた状態のままで要介護人を自宅から搬送する場合に、特定の鍵を用いなくても、要介護人の自宅を防犯上において安全な状態で施錠することができる引き戸用ファスナー金具を提供する。【解決手段】引き戸用ファスナー金具は、第１金具５１と、第２金具５２とを備える。第１金具は板金部材で構成され、閉鎖位置において縦枠に突き合わせられる引き戸の側端部の近傍に固定されている。第２金具も板金部材で構成され、縦枠において第１金具に対応する位置に固定されており、引き戸が閉鎖位置に配置された状態で第１金具と合わさる接合部６３を有している。接合部及び第１金具の被接合部５６のそれぞれに、錠前のフックが挿通可能な貫通孔６４、５７が形成されている。【選択図】図１
0003201883.tif 000002
【実用新案登録請求の範囲】
【請求項１】
板金部材で構成されており、閉鎖位置において縦枠に突き合わせられる引き戸の側端部の近傍に固定される第１金具と、
板金部材で構成されており、前記縦枠において前記第１金具に対応する位置に固定され、前記引き戸が前記閉鎖位置に配置された状態で前記第１金具と合わさる接合部を有する第２金具と、を備え、
前記接合部及び前記第１金具において前記接合部が合わせられる被接合部のそれぞれに、錠前のフックが挿通可能な貫通孔が形成されていることを特徴とする引き戸用ファスナー金具。
【請求項２】
前記接合部及び前記被接合部のいずれか一方の前記貫通孔は縦方向に長い長孔であり、他方の前記貫通孔は横方向に長い長孔である請求項１に記載の引き戸用ファスナー金具。
【請求項３】
前記第１金具は、前記引き戸の上端に固定される第１固定部と、前記第１固定部から前記引き戸の屋外側の外表面に沿って下方へ延びる第１延出部と、前記第１延出部から前記外表面に垂直方向へ延びる板状の前記被接合部と、を有し、
前記第２金具は、前記引き戸が突き合わされる突当面に固定される第２固定部と、前記第２固定部の前記屋外側の端部から前記突当面に垂直方向へ延出する第２延出部と、前記第２延出部から前記外表面に垂直方向へ延びる板状の前記接合部と、を有する請求項１又は２に記載の引き戸用ファスナー金具。
【請求項４】
前記接合部と前記被接合部とが合わさった接合状態で前記接合部及び前記被接合部それぞれを外側から挟持して前記接合状態を保持する断面Ｕ字形状の保持金具を備え、
前記保持金具は、前記接合部及び前記被接合部それぞれを外側から覆った状態で、前記接合部及び前記被接合部それぞれに設けられた貫通孔に対応する位置に前記錠前のフックが挿通可能な貫通孔を有する請求項１から３のいずれかに記載の引き戸用ファスナー金具。
【請求項５】
前記第１金具に対して取り外し可能に固定され、前記第１金具の前記被接合部を覆い隠すとともに、前記閉鎖位置において前記第２金具の前記接合部を内部に収容して覆い隠すカバー金具を備える請求項１から３のいずれかに記載の引き戸用ファスナー金具。
【考案の詳細な説明】
【技術分野】
【０００１】
本考案は、引き戸に用いられるファスナー金具に関する。
【背景技術】
【０００２】
近年、一人暮らしの高齢者が増加している。高齢者の全てが健常者であるとは限らず、高齢者において、入浴や食事などの日々の生活において介護を要する要介護人は少なくない。また、要介護人には、歩行が困難なために日々の生活において車椅子を利用する人もいる。このような要介護人が一人暮らしする家屋には、開閉がし易く、玄関口を車椅子などが通過し易いように、玄関扉として引き戸が用いられている。
【０００３】
ところで、一人暮らしの要介護人の安否が確認できない状況が生じた場合、要介護人の自宅の玄関扉の錠前を壊して、緊急的に自宅内に立ち入る必要が生じる。この場合、要介護人の身体に異常が生じており、病院へ緊急搬送しなければならないこともある。しかしながら、要介護人が一人暮らしの場合、錠前が壊れた状態のままだと、防犯上好ましくない。一方、特許文献１に記載のロック装置を引き戸に予め取り付けておき、必要に応じて外側からロック装置を施錠すれば、防犯上の問題は解決できる
【先行技術文献】
【特許文献】
【０００４】
【特許文献１】特開２０１１−２５６５８４号公報
【考案の概要】
【考案が解決しようとする課題】
【０００５】
しかしながら、要介護者が住まう全ての引き戸に前掲の特許文献１に記載のロック装置を取り付けた場合、各ロック装置に対応する多数の鍵の取り扱いが問題となる。具体的には、例えば、前記ロック装置の鍵を要介護者が管理する場合、病院へ緊急搬送される要介護人がその鍵の在りかを搬送者に伝えることは困難であり、搬送者は前記ロック装置を施錠することができない。また、一人暮らしの要介護人が所属する自治体などが前記鍵を管理することも考えられるが、多数の鍵を管理しなければならないという問題が生じる。
【０００６】
本考案は前記事情に鑑みてなされたものであり、その目的は、一人暮らしの要介護人の自宅の玄関扉の錠前が壊れた状態のままで要介護人を自宅から搬送する場合に、特定の鍵を用いなくても、要介護人の自宅を防犯上において安全な状態で施錠することができる引き戸用ファスナー金具を提供することにある。
【課題を解決するための手段】
【０００７】
本考案の引き戸用ファスナー金具は、第１金具と、第２金具とを備える。前記第１金具は、板金部材で構成されており、閉鎖位置において縦枠に突き合わせられる引き戸の側端部の近傍に固定されている。前記第２金具は、板金部材で構成されており、前記縦枠において前記第１金具に対応する位置に固定されており、前記引き戸が前記閉鎖位置に配置された状態で前記第１金具と合わさる接合部を有している。前記接合部及び前記第１金具において前記接合部が合わせられる被接合部のそれぞれに、錠前のフックが挿通可能な貫通孔が形成されている。
【０００８】
このように構成されているため、引き戸を屋外から防犯上において安全な状態で、南京錠などの別の錠前で施錠することが可能である。これにより、一人暮らしの要介護人の自宅の玄関扉の錠前が壊れた状態のままで要介護人を自宅から搬送する場合でも、要介護人の自宅のセキュリティーを保つことができる。
【０００９】
本考案の引き戸用ファスナー金具において、前記接合部及び前記被接合部のいずれか一方の前記貫通孔は縦方向に長い長孔であり、他方の前記貫通孔は横方向に長い長孔である。
【００１０】
このように構成されているため、前記接合部と前記被接合部とが合わさった状態で、それぞれの長孔が十字状に交差する。これにより、各長孔の交差する中央部分に錠前のフックを挿通させて施錠した場合に、第１金具と第２金具とのズレが生じにくくなる。
【００１１】
前記第１金具は、前記引き戸の上端に固定される第１固定部と、前記第１固定部から前記引き戸の屋外側の外表面に沿って下方へ延びる第１延出部と、前記第１延出部から前記外表面に垂直方向へ延びる板状の前記被接合部と、を有する。前記第２金具は、前記引き戸が突き合わされる突当面に固定される第２固定部と、前記第２固定部の前記屋外側の端部から前記突当面に垂直方向へ延出する第２延出部と、前記第２延出部から前記外表面に垂直方向へ延びる板状の前記接合部と、を有する。
【００１２】
これにより、本考案の引き戸用ファスナー金具が具体的に実現される。
【００１３】
本考案の引き戸用ファスナー金具は、保持金具を備える。前記保持金具は、前記接合部と前記被接合部とが合わさった接合状態で前記接合部及び前記被接合部それぞれを外側から挟持して前記接合状態を保持する断面Ｕ字形状のものである。また、前記保持金具は、前記接合部及び前記被接合部それぞれを外側から覆った状態で、前記接合部及び前記被接合部それぞれに設けられた貫通孔に対応する位置に前記錠前のフックが挿通可能な貫通孔を有する。
【００１４】
このような保持金具が設けられているため、前記接合部と前記被接合部とが前記接合状態で保持されるため、錠前で施錠された状態で第１金具と第２金具とが離間しなくなり、引き戸の移動方向に金具ががたつきにくくなる。
【００１５】
また、本考案の引き戸用ファスナー金具は、カバー金具を備える。前記カバー金具は、前記第１金具に対して取り外し可能に固定され、前記第１金具の前記被接合部を覆い隠すとともに、前記閉鎖位置において前記第２金具の前記接合部を内部に収容して覆い隠す。
【００１６】
このようなカバー金具が設けられているため、屋外から第三者が勝手に錠前で引き戸を施錠することができなくなる。その結果、要介護人は、緊急時ではない通常状態において、平穏に過ごすことができる。
【考案の効果】
【００１７】
本考案によれば、一人暮らしの要介護人の自宅の玄関扉の錠前が壊れた状態のままで要介護人を自宅から搬送する場合に、特定の鍵を用いなくても、要介護人の自宅を防犯上において安全な状態で施錠することが可能である。
【図面の簡単な説明】
【００１８】
【図１】図１は、本考案の実施形態に係るファスナー金具の取り付け例を示す斜視図である。
【図２】図２は、図１においてファスナー金具を水平方向に切断した断面図である。図２（Ａ）は引き戸が縦枠から離間した状態を示しており、図２（Ｂ）は引き戸が縦枠に突き当てられた状態を示している。
【図３】図３は、ファスナー金具に錠前が取り付けられた状態を示す図である。
【図４】図４は、ファスナー金具に保持金具を介して錠前が取り付けられた状態を示す図である。
【図５】図５（Ａ）は、カバー金具を示す斜視図であり、図５（Ｂ）は、ファスナー金具に錠前が取り付けられていない通常状態において、第１金具にカバー金具が取り付けられた状態を示す図である。
【図６】図６（Ａ）は、本考案の実施形態の第２金具の変形例１を示す図であり、図６（Ｂ）は、本考案の実施形態の第２金具の変形例２を示す図である。
【考案を実施するための形態】
【００１９】
以下、添付図を参照しながら、本考案の実施形態に係るファスナー金具１０について説明する。なお、以下の実施形態は、本考案を具体化した一例であって、本考案の技術的範囲を限定するものではない。
【００２０】
図１乃至図３に示されるように、ファスナー金具１０は、引き戸２０に適用されるものである。引き戸２０は、例えば玄関扉として用いられる。戸板２１と、枠部材２２とを有している。枠部材２２は、鴨居２３と、敷居２４と、縦枠２５とを有している。なお、図１及び図２では、鴨居２３及び敷居２４の図示が省略されている。戸板２１は、鴨居２３、敷居２４、及び縦枠２５の間に嵌め込まれており、図示しない壁面に沿って左右方向へスライド移動可能に支持されている。戸板２１が左右方向へスライドすることにより、玄関口が開閉される。戸板２１には、屋外に露出される外表面２１Ａと、屋内に露出される内表面２１Ｂ（図２参照）とを有する。
【００２１】
本実施形態では、戸板２１、鴨居２３、敷居２４、及び縦枠２５は、いずれも、ステンレスなどの金属で形成されている。もちろん、戸板２１、鴨居２３、敷居２４、及び縦枠２５の全て又はいずれかが、木材や合成樹脂で形成されていてもよい。
【００２２】
戸板２１の上端部３１及び下端部は、鴨居２３の下面及び敷居２４の上面それぞれに形成されたガイド溝（不図示）に挿入されている。また、戸板２１の下端部には、敷居２４のガイド溝を戸板２１が円滑にスライドさせるために、複数の戸車（不図示）が設けられている。
【００２３】
縦枠２５の内面２５Ａには、戸板２１の戸先３４が当たる部分である。内面２５Ａの幅方向の中央付近には、上下方向に延びる縦溝３７が形成されている。戸板２１が、縦枠２５側へスライド移動されて、玄関口を閉鎖する閉鎖位置（図２（Ｂ）に示される位置）まで移動すると、戸先３４が縦溝３７に進入して、戸先３４が縦溝３７の底面３７Ａに近接する。
【００２４】
ファスナー金具１０は、第１金具５１と、第２金具５２とを有する。第１金具は、戸板２１に固定されている。第２金具５２は、縦枠２５に固定されている。
【００２５】
第１金具５１は、板金部材で形成されている。第１金具５１は、戸板２１が前記閉鎖位置にあるときに、縦枠２５の縦溝３７の底面３７Ａに突き合わせられる戸先３４の近傍に取り付けられている。より詳細には、第１金具５１は、戸板２１の上端部３１において戸先３４よりも戸板２１の戸尻側（戸先とは反対側）へ所定間隔を隔てた位置に取り付けられている。
【００２６】
第１金具５１は、固定板５３（第１固定部の一例）と、延出板５４（第２延出部の一例）と、底板５５と、被接合板５６（被接合部の一例）と、が一体に形成されたものである。固定板５３は、戸板２１の上端部３１に固定される部位である。延出板５４は、固定板５３の屋外側の端部から外表面２１Ａに沿って下方へ延びている。底板５５は、延出板５４の下端から外表面２１Ａに垂直方向へ屈曲されている。被接合板５６は、底板５５及び延出板５４それぞれにおける戸先３４側の端部に設けられており、延出板５４から外表面２１Ａに垂直方向へ突出した矩形状の板部材である。
【００２７】
固定板５３が上端部３１に固定されている。具体的には、固定板５３は、固定板５３に形成された長孔５３Ａにビスなどの固定具が挿入されて、戸板２１の上端部３１に螺着されている。もちろん、前記固定具を用いずに、固定板５３を上端部３１に溶接によって固定したり、接着剤で固定してもよい。
【００２８】
被接合板５６は、後述の第２金具５２の接合板６３が合わせられる部位である。図１に示されるように、被接合板５６には、後述する南京錠などの錠前６８のフック６９（図３参照）が挿通可能なサイズの貫通孔５７が形成されている。本実施形態では、貫通孔５７は、外表面２１Ａに垂直方向へ延びる長孔である。
【００２９】
第２金具５２は、板金部材で形成されている。第２金具５２は、縦枠２５において第１金具５１に対応する位置に固定されている。より詳細には、第２金具５２は、縦枠２５の縦溝３７内に固定されている。
【００３０】
第２金具５２は、固定板６１（第２固定部の一例）と、延出板６２（第２延出部の一例）と、接合板６３（接合部の一例）と、が一体に形成されたものである。固定板６１は、縦溝３７において、戸板２１の戸先３４が突き合わされる底面３７Ａ（突当面の一例）に固定される部位である。延出板６２は、固定板６１において屋外側の端部から底面３７Ａに垂直方向（戸板２１側）へ延出している。接合板６３は、延出板６２の延出端から外表面２１Ａに垂直方向へ屈曲され、前記垂直方向へ延びる矩形状の板部材である。
【００３１】
固定板６１が底面３７Ａに固定されている。具体的には、固定板６１は、固定板６１に形成された図示しない孔に皿小ネジなどの固定具が挿入されて、底面３７Ａに螺着されている。もちろん、前記固定具を用いずに、固定板６１を底面３７Ａに溶接によって固定したり、接着剤で固定してもよい。
【００３２】
接合板６３は、第１金具５１の被接合板５６が合わせられる部位である。図１に示されるように、接合板６３には、後述する南京錠などの錠前６８のフック６９（図３参照）が挿通可能なサイズの貫通孔６４が形成されている。本実施形態では、貫通孔６４は、鉛直方向（上下方向）へ延びる長孔である。また、接合板６３と被接合板５６とが合わせられた状態で、貫通孔６４と貫通孔５７とが十字形状となるように、貫通孔６４及び貫通孔５７それぞれが、接合板６３及び被接合板５６に形成されている。
【００３３】
このようにファスナー金具１０が構成されているため、引き戸２０において、戸板２１をスライドさせて前記閉鎖位置まで移動させると、図２（Ｂ）に示されるように、被接合板５６が接合板６３に合わさった接合状態となる。なお、図２（Ｂ）及び図３においては、被接合板５６と接合板６３との間に隙間が形成されているが、前記接合状態には、微小な隙間が形成された状態で被接合板５６と接合板６３とが対面した状態を含むものとする。前記接合状態において、貫通孔５７と貫通孔６４とが十字状に交差する。この状態で、各貫通孔５７，６４の交差する中央部分に錠前６８のフック６９を挿通させて錠前６８が施錠されると、戸板２１が前記閉鎖位置でロックされる。つまり、戸板２１が前記閉鎖位置から縦枠２５から離れる方向へスライド移動することができなくなる。これにより、引き戸２０は、屋外から錠前６８によってロック可能となる。言い換えると、引き戸２０において戸板２１を屋外から防犯上において安全な状態で、錠前６８で施錠することが可能である。その結果、一人暮らしの要介護人の自宅玄関の引き戸２０の錠前が壊れた状態のままで要介護人を自宅から搬送する場合でも、要介護人の自宅のセキュリティーを保つことができる。
【００３４】
また、被接合板５６と接合板６３とが合わさった前記接合状態で、それぞれの貫通孔６７，６４が十字状に交差し、その交差する中央部分に錠前６８のフック６９が挿通されて施錠されるため、被接合板５６と接合板６３とのズレ、ひいては、第１金具５１と第２金具５２とのズレが生じにくくなる。
【００３５】
なお、本実施形態のファスナー金具１０は、図４に示されるように、保持金具７０を備えていても良い。保持金具７０は、例え板金部材で形成されている。保持金具７０は、接合板６３と被接合板５６とが合わさった前記接合状態で、接合板６３及び被接合板５６それぞれを外側から挟持して前記接合状態を保持する。このため、保持金具７０は、図４（Ａ）に示されるように、断面Ｕ字形状に形成されている。また、保持金具７０は、接合板６３及び被接合板５６それぞれを外側から覆った状態で、接合板６３及び被接合板５６それぞれに設けられた貫通孔５７，６４に対応する位置に、錠前６８のフック６９が挿通可能な貫通孔７１，７２を有する。
【００３６】
このような保持金具７０が設けられているため、接合板６３と被接合板５６とが前記接合状態にあるときに、保持金具７０によって接合板６３と被接合板５６とを挟持して前記接合状態に保持することができる。この状態で、錠前６８によって施錠されることにより、被接合板５６と接合板６３とが離間しなくなり、引き戸２０において戸板２１がスライド方向へがたつかなくなる。また、保持金具７０によって前記接合状態が保持されるため、作業者は錠前６８のフック６９を容易に各貫通孔に挿通させやすくなり、簡単に施錠することが可能となる。
【００３７】
また、本実施形態のファスナー金具１０は、図５に示されるように、錠前６８によって施錠されていない通常状態において、カバー金具７５を備えていても良い。カバー金具７５は、前記通常状態において、第１金具５１の被接合板５６を覆い隠すとともに、前記閉塞位置に戸板２１が配置された状態で第２金具５２の接合板６３を内部空間に収容して覆い隠すものである。
【００３８】
カバー金具７５は、図５（Ａ）に示されるように、長方形状のベース板７５Ａと、ベース板７５Ａの短手方向の両端それぞれから垂直方向の延びる上板７５Ｂ及び下板７５Ｃとを有する。また、ベース板７５Ａ、上板７５Ｂ、下板７５Ｃによって囲まれた内部空間の一方側を塞ぐように、側板７５Ｄを有する。カバー金具７５は、ベース板７５Ａ、上板７５Ｂ、下板７５Ｃ、側板７５Ｄが、板金部材によって一体に形成されている。下板７５Ｃには、貫通孔７６が形成されている。
【００３９】
カバー金具７５は、第１金具５１に対して取り外し可能に固定されている。具体的には、第１金具５１の左側に側板７５Ｄが位置するように、カバー金具７５を第１金具５１の上から覆い被せる。これにより、カバー金具７５の内部空間に第１金具５１が入り込む。このとき、カバー金具７５の下板７５Ｃが第１金具５１の底板５５の下面に対向する。この状態で、下板７２Ｃにビスなどの固定具７７が挿入されて、固定具７７が底板５５に螺着されている。これにより、カバー金具７５が第１金具５１に固定される。なお、固定具７７を必要に応じて緩めることにより、カバー金具７５を第１金具５１から取り外すことができる。
【００４０】
このようなカバー金具７５が設けられているため、図５（Ｂ）に示されるように、屋外から第三者が勝手に錠前で引き戸２０を施錠することができなくなる。その結果、要介護人は、緊急時ではない通常状態において、平穏に過ごすことができる。
【００４１】
なお、上述の実施形態では、縦枠２５の縦溝３７に取り付けられる第２金具５２について例示したが、本考案は、上述の構成の第２金具５２に限られない。例えば、第２金具５２に代えて、図６（Ａ）及び（Ｂ）に示される第２金具８０が用いられてもよい。ここで、図６において、第２金具５２と共通する構成については、上述の実施形態と同じ符号を付している。第２金具８０は、断面がコの時形状に形成されており、その固定部８０Ａが縦枠２５の内面２５Ａに固定されている。第２金具８０は、例えば、図６（Ａ）に示されるように、開口８０Ｂを屋外側へ向けるように取り付けても良く、或いは、開口８０Ｂを屋内側へ向けるように取り付けても良い。このような第２金具８０を含むファスナー金具１０であっても、上述した効果を奏することができる。
【符号の説明】
【００４２】
１０：ファスナー金具
２０：引き戸
２１：戸板
２５：縦枠
５１：第１金具
５２：第２金具
６８：錠前
６９：フック
７０：保持金具
７５：カバー金具
８０：第２金具
【図１】
0003201883.tif 000003
【図２】
0003201883.tif 000004
【図３】
0003201883.tif 000005
【図４】
0003201883.tif 000006
【図５】
0003201883.tif 000007
【図６】
0003201883.tif 000008